(57)【特許請求の範囲】
【請求項１】
金庫収容部に対して所定の着脱経路に沿って進退移動することにより装着、及び離脱し、且つ装着状態にある時に搬送されてきた金銭を内部に収容する金庫本体が前記金庫収容部から離脱された後で、収容した金銭を回収しない状態で前記金庫収容部に再装着されることを阻止する金庫の再装着阻止装置であって、
前記金庫本体の外壁に設けた出没穴から先端部を出没自在となるように前記金庫本体の内部に位置する本体部を回動自在に軸支された再装着阻止レバーと、
前記再装着阻止レバーの先端部が前記出没穴から突出可能な作動状態にあるときには前記再装着阻止レバーの先端部を突出方向に弾性付勢し、前記再装着阻止レバーの先端部が前記出没穴から突出不能な非作動状態にあるときには前記再装着阻止レバーの先端部を没入方向に弾性付勢する弾性付勢部材と、
前記金庫収容部側に配置され、前記金庫本体を前記金庫収容部に装着したときに前記非作動状態にある前記再装着阻止レバーを前記作動状態に移行させる作動爪と、を備え、
前記再装着阻止レバーが前記作動状態に移行した後に前記金庫本体が前記金庫収容部から離脱した場合には、前記再装着阻止レバーの先端部が前記金庫本体の前記金庫収容部への装着を阻止することを特徴とする金庫の再装着阻止装置。
【請求項２】
金銭回収時に前記金庫本体の金銭収容部を開閉する蓋体と、前記蓋体を開放したときに前記再装着阻止レバーを前記非作動状態に移行させる解除部材と、を備えたことを特徴とする請求項１に記載の金庫の再装着阻止装置。
【発明の詳細な説明】
【技術分野】
【０００１】
本発明は金庫の再装着阻止装置に関し、特に金庫収容部より金庫を一旦離脱させた後は、金庫の蓋体を開放して内部の金銭を回収しない限り金庫を金庫収容部に再装着不能とする金庫の再装着阻止装置に関する。
【背景技術】
【０００２】
各種の紙幣や硬貨を取り扱う自動販売機や券売機等に内蔵される金銭取扱装置は、紙幣や硬貨を収容する金庫を備えている。金庫は、装置本体の筐体内に設けた金庫収容部内に着脱可能に装着され、金庫収容部への装着時には装置本体から搬送されてくる金銭を収容する。
金庫が満杯となったとき、又は回収時期が到来したときには、金庫を金庫収容部より取り外して金庫内の金銭を回収する。金銭の回収作業においては、回収者が金庫を金庫収容部の外部に引き出してから、金庫に設けた蓋体を開放して内部の金銭を取り出すと共に、金銭回収後の金庫を再度金庫収容部内に装着する。
実際には、金銭回収による金銭取扱装置の稼働停止を短時間で済ませるため、予め空の金庫を用意しておき、金庫収容部より取り外した金庫と交換し、金銭取扱装置の稼働を速やかに再開する一方、取り外した金庫から金銭回収する作業をセキュリテイ管理された安全な場所で行うという運用が広く行われている。例えば、駅の券売機などのように複数の金銭取扱装置が設置されている場合、予め複数の空の金庫を準備して、順番に金庫収容部より取り外した金庫と空の金庫とを交換することになる。しかし、回収者が金庫の交換を繰り返すうちに、本来は空の金庫を装着すべきところ、紙幣が収容された状態の金庫を間違えて金庫収容部に誤装着するという作業ミスが生じることがある。
【０００３】
上記誤装着を防止するため特許文献１には、金庫収容部側に設けられて金庫の装着時に金庫の後壁に設けた挿入穴から金庫内に挿入される作動ピンと、金庫側に設けられて金庫の装着時に作動ピンによって押圧されて回動する回動レバーと、回動レバーの回動を規制する下降姿勢と規制を解除する上昇姿勢との間を昇降可能な昇降作動板と、蓋体が開放したときに昇降作動板を下降位置から上昇位置に移動させるレバー部材と、を備えた再装着阻止装置が記載されている。昇降作動板はスプリングによって下降姿勢に弾性付勢されるが、金庫の装着許容時には下降しないようにロックされる。
上記再装着阻止装置の動作は以下の通りである。金庫の装着時に作動ピンが挿入穴内に進入すると回動レバーが回動して金庫が金庫収容部に装着される。このとき、昇降作動板の下降を阻止するロックが解除される。金庫の離脱時には、作動ピンが引き抜かれる結果、回動レバーが初期姿勢に戻って昇降作動板が下降姿勢に変位するので、その後は金庫の再装着が阻止される。内部の金銭を回収するべく蓋体を開放すると、レバー部材の動作によって昇降作動板が下降姿勢から上昇姿勢へと移動し、上昇した昇降作動板が下降しないようにロックされる。この状態では、作動ピンの押圧による回動レバーの回動が許容されるので、金庫の再装着が可能となる。
【先行技術文献】
【特許文献】
【０００４】
【特許文献１】特開平４−２７８９６５号公報
【発明の概要】
【発明が解決しようとする課題】
【０００５】
特許文献１に記載の再装着阻止装置においては、金庫内に昇降作動板と複数のレバー類を備え、これらを連動させて金庫の再装着を許容又は禁止するため構成が複雑である。
本発明は上述の事情に鑑みてなされたものであり、構成を簡略化した金庫の再装着阻止装置を提供することを目的とする。
【課題を解決するための手段】
【０００６】
上記の課題を解決するために、請求項１に記載の発明は、金庫収容部に対して所定の着脱経路に沿って進退移動することにより装着、及び離脱し、且つ装着状態にある時に搬送されてきた金銭を内部に収容する金庫本体が前記金庫収容部から離脱された後で、収容した金銭を回収しない状態で前記金庫収容部に再装着されることを阻止する金庫の再装着阻止装置であって、前記金庫本体の外壁に設けた出没穴から先端部を出没自在となるように前記金庫本体の内部に位置する本体部を回動自在に軸支された再装着阻止レバーと、前記再装着阻止レバーの先端部が前記出没穴から突出可能な作動状態にあるときには前記再装着阻止レバーの先端部を突出方向に弾性付勢し、前記再装着阻止レバーの先端部が前記出没穴内から突出不能な非作動状態にあるときには前記再装着阻止レバーの先端部を没入方向に弾性付勢する弾性付勢部材と、前記金庫収容部側に配置され、前記金庫本体を前記金庫収容部に装着したときに前記非作動状態にある前記再装着阻止レバーを前記作動状態に移行させる作動爪と、を備え、前記再装着阻止レバーが前記作動状態に移行した後に前記金庫本体が前記金庫収容部から離脱した場合には、前記再装着阻止レバーの先端部が前記金庫本体の前記金庫収容部への装着を阻止することを特徴とする。
請求項２に記載の発明は、金銭回収時に前記金庫本体の金銭収容部を開閉する蓋体と、前記蓋体を開放したときに前記再装着阻止レバーを前記非作動状態に移行させる解除部材と、を備えたことを特徴とする。
【発明の効果】
【０００７】
本発明によれば、金庫収容部側に配置した作動爪により、再装着阻止レバーを作動状態から非作動状態に移行させるようにしたので、構成が簡略化された金庫の再装着阻止装置を提供できる。
【図面の簡単な説明】
【０００８】
【図１】金庫の再装着阻止装置の概略構成を示す模式的断面図である。
【図２】（ａ）〜（ｃ）は、金庫本体を金庫収容部に装着する過程を示す図である。
【図３】（ａ）、（ｂ）は、金庫本体を金庫収容部から離脱させた様子を示す図である。
【発明を実施するための形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。以下、本発明の実施形態を詳細に説明する。
【００１０】
図１は、金庫の再装着阻止装置の概略構成を示す模式的断面図である。図１は、金銭取扱装置を上方から観察した図である。自動販売機や券売機等に内蔵される金銭取扱装置１は、装置本体の筐体１０内に設けた金庫の収容空間である金庫収容部１１内に金庫本体３０を収容する。
金庫本体３０は、金庫収容部１１に対して所定の着脱経路Ａ１−Ａ２に沿って進退移動することにより装着、及び離脱が可能となっている。金庫本体３０は、金庫収容部１１に装着された装着状態にあるときに金銭取扱装置の装置本体から搬送されてきた金銭を内部に収容、蓄積する。なお、金庫本体３０は、還流式の金庫でもよいし、非還流式の金庫でもよい。
金庫本体３０内に蓄積された金銭を回収する際には、一旦、金庫本体３０を金庫収容部１１から取り出した上で、金庫本体３０に設けた蓋体５０を開放して金銭収容部４０に収容された金銭を取り出す必要がある。また、金銭回収後の金庫本体３０は、再度金庫収容部１１に装着されることで、次に金銭を回収する作業が実施されるまで装置本体から搬送されてきた金銭を内部に収容、蓄積する。
【００１１】
本実施の形態に係る金庫の再装着阻止装置１００は、金庫本体３０が一旦は金庫収容部１１から離脱された後で、収容した金銭を回収しない状態で、金庫収容部１１に再装着されることを阻止する装置である。
金庫の再装着阻止装置１００は、金庫本体３０の外側壁３１（外壁）に設けた出没穴３３から先端部１２１を出没自在となるように金庫本体３０内部に位置する本体部１１１を回動自在に軸支された再装着阻止レバー１１０と、再装着阻止レバー１１０の先端部１２１が出没穴３３から外部に突出可能な作動状態にあるときには再装着阻止レバー１１０の先端部１２１を突出方向に弾性付勢し、再装着阻止レバー１１０の先端部１２１が出没穴３３から外部に突出不能な非作動状態にあるときには再装着阻止レバー１１０の先端部１２１を没入方向に弾性付勢するラッチスプリング１３０（弾性付勢部材）と、金庫収容部１１側に配置され、金庫本体３０を金庫収容部１１に装着したときに非作動状態にある再装着阻止レバー１１０を作動状態に移行させる作動爪２０と、を備え、再装着阻止レバー１１０が作動状態に移行した後に金庫本体３０が金庫収容部１１から離脱した場合には、再装着阻止レバー１１０の先端部１２１が金庫本体３０の金庫収容部１１への装着を阻止することを特徴とする。
【００１２】
金庫本体３０は、金庫収容部１１に対する着脱時に金庫本体３０を進退させる方向（着脱経路Ａ１−Ａ２）に沿った方向に延びる外壁のひとつである外側壁３１に、金庫本体３０の金庫収容部１１内への装着を阻止する再装着阻止レバー１１０を出没させる出没穴３３を備えている。出没穴３３は、金庫本体３０の奥側端部に配置され、金庫本体３０の内外を連通させる。
また、金庫本体３０は、着脱経路Ａ１−Ａ２と交差する方向に伸びると共に、金庫収容部１１内に収容されたときに奥側に位置する外壁である外奥壁３５に金庫本体３０の内外を連通させる作動穴３７を備える。作動穴３７は、金庫本体３０を金庫収容部１１に装着したときに、金庫収容部１１の内奥壁１３から突出した作動爪２０を金庫本体３０内に導き入れる。
【００１３】
再装着阻止レバー１１０は金庫本体３０内に配置される本体部１１１と、金庫本体３０の外側壁３１に設けた出没穴３３から出没する先端部１２１とを備える。再装着阻止レバー１１０は本体部１１１に対して先端部１２１が屈曲形成された概略Ｌ字形状である。
本体部１１１は、先端部１２１寄りに再装着阻止レバー１１０を非作動状態に変位させるための解除部材１６０と係合する被係合部１１３を備え、中間部にラッチスプリング１３０の一端を係止する係止部１１５を備え、後端部に再装着阻止レバー１１０の回動中心となる軸支部１１７を備える。
再装着阻止レバー１１０は、先端部１２１が金庫本体３０の奥側に位置し、後端部（軸支部１１７側）が金庫本体３０の手前側に位置するように配置されている。再装着阻止レバー１１０は軸支部１１７が金庫本体３０の適所（例えば天井板）によって回動可能に支持されている。また、再装着阻止レバー１１０は、作動穴３７から金庫本体３０内に進入した作動爪２０と接触可能となるように、先端部１２１側が作動穴３７の付近に配置される。
【００１４】
再装着阻止レバー１１０の先端部１２１は、金庫収容部１１に対する金庫本体３０の装着方向と交差する矢印Ｂ１−Ｂ２方向に出没する。つまり、金庫本体３０外に突出した先端部１２１は、金庫本体３０の金庫収容部１１への装着時に筐体１０の端縁１０ａと接触した場合に筐体１０から受ける矢印Ｃ方向に働く押圧力によっては没入せずに、金庫収容部１１に対する金庫本体３０の再装着を阻止する。その一方で、金庫本体３０外に突出した先端部１２１は、外側壁３１に対して直交する方向（あるいは外側壁３１に対して向かう方向）に作用する矢印Ｂ２方向の押圧力によって金庫本体３０内に没入する。
例えば、金銭取扱装置から離脱した複数の金庫を台車や車両等に乗せて運搬する場合、金庫本体３０に隣接して配置された他の金庫本体の外壁面と接触したとしても、突出状態にある先端部１２１は、矢印Ｂ２方向の押圧力を受けて金庫本体３０内に没入するため、先端部１２１の変形及び破損が防止される。また、金庫本体３０の外側壁３１を他の金庫本体の外壁面と密着させることができるので、運搬に必要なスペースが少なくて済む。
なお、再装着阻止レバー１１０に着色して再装着不能であることを容易に目視確認できるようにしてもよい。
【００１５】
ラッチスプリング１３０は、例えば軸方向両端にフック部１３１ａ、１３１ｂを備えた引っ張りコイルバネから構成される。ラッチスプリング１３０は、軸方向一端部に設けたフック部１３１ａが再装着阻止レバー１１０の係止部１１５に係止される。ラッチスプリング１３０の軸方向他端部に設けたフック部１３１ｂは、再装着阻止レバー１１０の軸支部１１７を超えて金庫本体３０の手前側の適所に配置された固定部３９に係止される。
再装着阻止レバー１１０は、固定部３９と軸支部１１７と係止部１１５とが同一直線上に位置する中立位置と、係止部１１５が中立位置よりも出没穴３３側に位置する作動状態と、係止部１１５が中立位置よりも出没穴３３から離間した側に位置する非作動状態との間で変位する。
ラッチスプリング１３０は、係止部１１５を固定部３９側に引きつける方向に弾性付勢する。従って、ラッチスプリング１３０は、再装着阻止レバー１１０が作動状態にある場合には、先端部１２１を出没穴３３から突出させる方向に弾性付勢する。また、ラッチスプリング１３０は、再装着阻止レバー１１０が非作動状態にある場合には、先端部１２１が金庫本体３０内に没入する方向に弾性付勢する。即ち、ラッチスプリング１３０は、再装着阻止レバー１１０の状態（或いは位置）に応じて再装着阻止レバー１１０が作動状態又は非作動状態を維持するように夫々弾性付勢するラッチ機構を構成する。
【００１６】
また、作動状態にある再装着阻止レバー１１０の先端部１２１が矢印Ｂ２方向の押圧力を受けて金庫本体３０内に没入したとしても、再装着阻止レバー１１０が中立位置を越えて非作動状態に変位しない限り、押圧力が取り除かれた後に再び出没穴３３から外部に突出して金庫本体３０の再装着を阻止する。なお、外側壁３１に他の金庫本体が密着するような場合のように、先端部１２１が外側壁３１と略同一面上に移動する程度では再装着阻止レバー１１０は中立位置を越えないように設定されている（図２（ｃ）参照）。
【００１７】
作動爪２０は、金庫収容部１１の最奥部に位置する内奥壁１３から手前側に向けて突出形成されている。作動爪２０は、金庫本体３０に設けた作動穴３７と対応する位置に形成されている。作動爪２０は先細り形状であり、先端部には、再装着阻止レバー１１０の屈曲部１２３に接触する傾斜面２１を備えている。
作動爪２０は、金庫本体３０が金庫収容部１１内に収容されるときに、作動穴３７から金庫本体３０内に進入する。この際、傾斜面２１は非作動状態にある再装着阻止レバー１１０の屈曲部１２３と接触することによって、中立位置を越えて再装着阻止レバー１１０を作動状態となるまで案内する（図２（ｂ）、（ｃ）参照）。
【００１８】
金庫本体３０は、金銭回収時に金庫本体３０の金銭収容部４０を開閉する蓋体５０を備えている。蓋体５０は、金庫本体３０の外壁面の何れかに配置されていればよいが、本例において蓋体５０は、概略直方体形状の金庫本体３０に対して、出没穴３３が形成された外側壁３１と対向する外壁に配置されている。
蓋体５０の開閉方向は特に限定されるものではないが、一例として蓋体５０は金庫本体３０の手前側に位置する一端部に設けた軸支部を金庫本体３０によって回動自在に軸支された構成とし、軸支部を中心として金庫本体３０の奥側に位置する他端側を矢印Ｄ１−Ｄ２方向に開閉する構成とすることができる。
【００１９】
金庫本体３０内には、作動状態にある再装着阻止レバー１１０を、蓋体５０が開放したときに非作動状態に変位させるための解除装置１５０が配置されている。解除装置１５０は、蓋体５０を開放したときに再装着阻止レバー１１０と係合して再装着阻止レバー１１０を非作動状態に移行させる解除部材１６０と、再装着阻止レバー１１０を非作動状態に移行させる方向に解除部材１６０を常時弾性付勢する解除バネ１７０とを備える。
【００２０】
解除部材１６０は、蓋体５０の開放時に再装着阻止レバー１１０の被係合部１１３と係合する係合部１６１と、蓋体５０の閉止時に蓋体５０によって押圧される被押圧部１６３と、解除バネ１７０の一端１７０ａに連結される連結部１６５と、係合部１６１と被押圧部１６３と連結部１６５とを接続して連結部１６５から加えられた作用力を係合部に伝達する伝達軸１６７とを備える。
本例において解除部材１６０の伝達軸１６７は再装着阻止レバー１１０を構成する被係合部１１３の移動方向（矢印Ｂ１−Ｂ２方向）に伸びる棒状の部材であり、解除部材１６０は伝達軸１６７の長手方向一端部に係合部１６１を、他端部に被押圧部１６３を、中間部に連結部１６５を備える構成である。また、解除部材１６０は伝達軸１６７の長手方向に沿って矢印Ｅ１−Ｅ２方向に進退するように金庫本体３０によって支持されている。
図１に示す解除バネ１７０は、例えば引っ張りコイルバネであり、一端１７０ａが解除部材１６０の連結部１６５に連結され、他端１７０ｂが蓋体５０側に位置する金庫本体３０の適所に連結されている。
【００２１】
係合部１６１は、再装着阻止レバー１１０の被係合部１１３の移動経路上に配置されている。解除部材１６０は、解除バネ１７０によって常時蓋体５０に向けて弾性付勢されており、蓋体５０の開閉に伴って進退する。即ち、解除部材１６０は、蓋体５０の開放時には係合部１６１が再装着阻止レバー１１０を非作動状態へ変位させる解除位置（図３（ｂ）参照）に移動し、蓋体５０の閉止時には外側壁３１側であって、再装着阻止レバー１１０の非作動状態から作動状態への変位を許容する変位許容位置（図１参照）に移動する。解除部材１６０が変位許容位置にあるとき、係合部１６１は、再装着阻止レバー１１０の先端部１２１が出没穴３３から突出することを許容する。
被押圧部１６３は、蓋体５０の開放時には矢印Ｅ１方向に働く解除バネ１７０の弾性付勢力により金庫本体３０外に突出し（図３（ｂ）参照）、蓋体５０の閉止時には蓋体５０によって矢印Ｅ２方向に押圧される。解除部材１６０は、蓋体５０が閉止しているときには解除バネ１７０の弾性付勢力に抗して変位許容位置を維持する。
【００２２】
本例では、少なくとも再装着阻止レバー１１０の移動範囲においては、被係合部１１３の移動方向（矢印Ｂ１−Ｂ２方向）と蓋体５０の開閉方向（矢印Ｄ１−Ｄ２方向）とが概ね一致しているため、解除部材１６０を構成する各部は一体的に構成され、解除部材１６０の全体が概ね両方向に沿った矢印Ｅ１−Ｅ２方向に進退する。
もちろん、解除部材１６０を構成する各部を別体として構成しても構わない。例えば解除部材１６０は、蓋体５０の開閉方向と再装着阻止レバー１１０の変位方向が大きく異なる場合や、解除装置用に確保できるスペースに制限がある場合等には、蓋体５０の開閉によって発生する力を適宜方向変換しながら係合部に伝達する必要がある。この場合、係合部１６１は再装着阻止レバー１１０の被係合部１１３の移動経路上で、被係合部１１３の移動方向に進退するように金庫本体３０によって支持される。また、被押圧部１６３は蓋体５０の開閉方向に進退するように金庫本体３０によって支持される。本例において解除部材１６０を構成する伝達軸１６７は、適宜ワイヤー等に置き換えて実施することができる。
【００２３】
以上のように構成された金庫の再装着阻止装置の動作について説明する。
まず、金庫本体の装着時の動作について説明する。図２（ａ）〜（ｃ）は、金庫本体を金庫収容部に装着する過程を示す図である。
図２（ａ）は、再装着阻止レバー１１０が非作動状態にあり、金庫本体３０の再装着が許容される状態を示している。この状態で金庫本体３０を金庫収容部１１内に矢印Ａ１方向に挿入すると、作動爪２０が作動穴３７から金庫本体３０内に進入する。
図２（ｂ）は、再装着阻止レバー１１０が作動爪２０と接触した様子を示している。再装着阻止レバー１１０は、屈曲部１２３が作動爪２０の傾斜面２１に接触することにより、非作動状態から作動状態に案内される。図２（ｂ）の状態では、再装着阻止レバー１１０は中立位置を越えていないため、ラッチスプリング１３０によって非作動状態が維持されており、再装着阻止レバー１１０は傾斜面２１を図中下方に押圧する。
図２（ｃ）は、再装着阻止レバー１１０が中立位置を越えて作動状態に変位した様子を示している。再装着阻止レバー１１０は、作動爪２０の傾斜面２１によって案内されることにより、最終的に作動状態に移行する。作動状態に移行した再装着阻止レバー１１０は、ラッチスプリング１３０の弾性付勢力によって突出方向に弾性付勢されるようになる。再装着阻止レバー１１０の先端部１２１は出没穴３３から外部に突出可能な状態であるが、筐体１０の内側壁１５に当接することによって出没穴３３からの突出が制限されている。
【００２４】
続いて、金庫本体を金庫収容部から離脱させた後の動作について説明する。図３（ａ）、（ｂ）は、金庫本体を金庫収容部から離脱させた様子を示す図である。
図３（ａ）は、金庫本体の離脱後、蓋体開放前の様子を示している。図２（ｃ）に示したように、作動爪２０によって作動状態に移行した再装着阻止レバー１１０は、金庫本体３０が金庫収容部１１から離脱されることによって、その先端部１２１が出没穴３３から突出する。この状態では、未だ蓋体５０を開放していないため、金庫収容部１１に対する金庫本体３０の再装着が阻止される。即ち、再装着阻止レバー１１０の先端部１２１が出没穴３３から外部に突出しているため、金庫本体３０を金庫収容部１１に挿入すると先端部１２１が筐体１０の端縁１０ａと衝突して、金庫本体３０を再装着することができない。
図３（ｂ）は、金庫本体の離脱後に蓋体が開放された様子を示している。蓋体５０を開放することによって、解除部材１６０が解除バネ１７０の弾性付勢力により解除位置（矢印Ｅ１方向）に移動する。解除部材１６０の係合部１６１が再装着阻止レバー１１０の被係合部１１３と係合して、再装着阻止レバー１１０を非作動状態に移行させる。非作動状態に移行した再装着阻止レバー１１０は、ラッチスプリング１３０によって先端部１２１が出没穴３３から離間する方向に弾性付勢される。従って、蓋体５０を一旦開放した後は、蓋体５０を閉止したとしても、再装着阻止レバー１１０は非作動状態を維持する（図２（ａ）参照）。
【００２５】
＜効果＞
以上のように本実施形態によれば、金庫収容部１１側に配置した作動爪２０により、直接に再装着阻止レバー１１０を非作動状態から作動状態に移行させるようにしたので、再装着阻止装置１００の構成を簡略化できる。また、蓋体５０の開放に伴って移動する解除部材１６０により、直接に再装着阻止レバー１１０を作動状態から非作動状態に移行させるようにしたので、再装着阻止装置１００の構成を簡略化できる。再装着阻止装置１００は、構成が簡略化されているので故障や破損が起こりにくい。
また、ラッチスプリング１３０を利用して再装着阻止レバー１１０が作動状態と非作動状態の何れかを維持するように弾性付勢するので、再装着阻止レバー１１０の位置を維持するために必要な部材を最小限とすることができる。
さらに、再装着阻止レバー１１０を作動状態から非作動状態に移行させるには、作動状態と非作動状態の間にある中立位置を越えて再装着阻止レバー１１０を非作動状態となる側に変位させる必要がある。しかし、中立位置を越えない限り作動状態にある再装着阻止レバー１１０は、先端部１２１が出没穴３３から常時突出する方向にラッチスプリング１３０によって弾性付勢される。再装着阻止レバー１１０が中立位置を越えなければ、外力により先端部１２１が金庫本体３０の内部に没入したとしても、外力が取り除かれれば先端部１２１は再び金庫本体３０外部に突出する。本実施形態では、外側壁３１と略同一面となる程度にまで先端部１２１を没入させても、再装着阻止レバー１１０が中立位置を越えないように構成されている。従って、金庫本体３０の外側壁に他の金庫本体３０の外壁を密着させて運搬するような場面であっても、再装着阻止レバー１１０は作動状態を維持すると共に、その破損が防止される。
【００２６】
また、再装着阻止レバー１１０の先端部１２１は金庫本体３０の奥側端部において突出するので、再装着阻止装置１００は、金庫本体３０の金庫収容部１１への挿入量が比較的少ない装着初期段階で金庫本体３０の再装着を阻止する。
ここで、特許文献１においては、金庫収容部側に設けた作動ピンが金庫内部へ進入できるか否かによって、金庫の再装着が許容又は阻止される。そして、作動ピンは金庫の後壁から金庫内に進入するため、特許文献１の再装着阻止装置は金庫の大半が金庫収容部内に挿入された装着最終段階で再装着を阻止する構成である。装着最終段階で金庫に加えられる押し込み力は装着初期段階に比べて非常に大きいため、特許文献１では再装着阻止装置を強靱に構成して破損を防止する必要があり、再装着阻止装置を構成する各部材のコストが高くなる等の問題があった。
本実施形態においては、先端部１２１が金庫本体３０の奥側端部において突出するように再装着阻止レバー１１０を配置し、装着初期段階において金庫本体３０の再装着を阻止する。その結果、再装着阻止時に再装着阻止レバー１１０が筐体１０から受ける力が比較的小さくなるので、再装着阻止装置１００を構成する各部材にかかるコストを低減できると共に、再装着阻止レバー１１０を含む再装着阻止装置１００の各部の破損を防止することができる。
【００２７】
〔本発明の実施態様と作用効果のまとめ〕
第一の実施態様は、金庫収容部１１に対して所定の着脱経路に沿って進退移動することにより装着、及び離脱し、且つ装着状態にある時に搬送されてきた金銭を内部に収容する金庫本体３０が金庫収容部から離脱された後で、収容した金銭を回収しない状態で金庫収容部に再装着されることを阻止する再装着阻止装置１００であって、金庫本体の外壁（外側壁３１）に設けた出没穴３３から先端部１２１を出没自在となるように金庫本体内部に位置する本体部１１１を回動自在に軸支された再装着阻止レバー１１０と、再装着阻止レバーの先端部が出没穴から外部に突出可能な作動状態にあるときには再装着阻止レバーの先端部を突出方向に弾性付勢し、再装着阻止レバーの先端部が出没穴から突出不能な非作動状態にあるときには再装着阻止レバーの先端部を没入方向に弾性付勢する弾性付勢部材（ラッチスプリング１３０）と、金庫収容部側に配置され、金庫本体を金庫収容部に装着したときに非作動状態にある再装着阻止レバーを作動状態に移行させる作動爪２０と、を備え、再装着阻止レバーが作動状態に移行した後に金庫本体が金庫収容部から離脱した場合には、再装着阻止レバーの先端部が金庫本体の金庫収容部への装着を阻止することを特徴とする。
本態様によれば、金庫収容部側に配置した作動爪により、直接に再装着阻止レバーを作動状態から非作動状態に移行させるようにしたので、再装着阻止装置の構成を簡略化できる。
【００２８】
第二の実施態様に係る金庫の再装着阻止装置１００は、金銭回収時に金庫本体３０を開閉する蓋体５０と、蓋体を開放したときに再装着阻止レバー１１０を非作動状態に移行させる解除部材１６０と、を備えたことを特徴とする。
本態様によれば、蓋体の開放に伴って移動する解除部材により、直接に再装着阻止レバーを非作動状態から作動状態に移行させるようにしたので、再装着阻止装置の構成を簡略化できる。
尚、本明細書に於いて再装着とは、金銭取扱装置の金庫収容部から離脱した金庫を、金銭回収しないまま同じ金銭取扱装置の金庫収容部に誤装着することに加え、複数の金銭取扱装置が設置された環境で、予め用意した空の金庫と金銭取扱装置の金庫収容部から離脱した金庫とを交換する作業中に、本来は空の金庫を装着すべきところ、他の金銭取扱装置の金庫収容部から離脱した金庫を誤装着する場合を含むものである。
【符号の説明】
【００２９】
１…金銭取扱装置、１０…筐体、１０ａ…端縁、１１…金庫収容部、１３…内奥壁、１５…内側壁、２０…作動爪、２１…傾斜面、３０…金庫本体、３１…外側壁、３３…出没穴、３５…外奥壁、３７…作動穴、３９…固定部、４０…金銭収容部、５０…蓋体、１００…再装着阻止装置、１１０…再装着阻止レバー、１１１…本体部、１１３…被係合部、１１５…係止部、１１７…軸支部、１２１…先端部、１３０…ラッチスプリング、１３１…フック部、１５０…解除装置、１６０…解除部材、１６１…係合部、１６３…被押圧部、１６５…連結部、１６７…伝達軸、１７０…解除バネ
【図１】
0006528059.tif 000002
【図２】
0006528059.tif 000003
【図３】
0006528059.tif 000004